(57)【要約】【課題】モアレ及びぎらつきの両方を目立たなくさせることができる導電性メッシュを提供する。【解決手段】導電性メッシュ１０は、複数の開口領域１５を画成する。導電性メッシュは、二つの分岐点２５の間を延びて開口領域を画成する導電性の接続要素２０を多数含む。分岐点は、辺の長さが互いに等しく且つ内角の大きさが互いに異なる二種類の菱形１５Ａ，１５Ｂを敷き詰めて形成された参照パターン１１における菱形の角上に設けられている。接続要素は、参照パターンにおいて菱形の辺の両端をなす二つの角にそれぞれ対応する二つの分岐点の間を延びている。【選択図】図１
2014203664.tif 000002
【特許請求の範囲】
【請求項１】
複数の開口領域を画成する導電性メッシュであって、
二つの分岐点の間を延びて前記開口領域を画成する導電性の接続要素を複数含み、
前記分岐点は、辺の長さが互いに等しく且つ内角の大きさが互いに異なる二種類の菱形を敷き詰めて形成された参照パターンにおける前記菱形の角上に位置している、導電性メッシュ。
【請求項２】
前記接続要素は、前記参照パターンにおいて前記菱形の前記辺の両端をなす二つの角にそれぞれ対応する二つの分岐点の間を延びている、請求項１に記載の導電性メッシュ。
【請求項３】
前記参照パターンにおける一つの菱形に対応して、前記開口領域が一つ画成される、請求項１または２に記載の導電性メッシュ。
【請求項４】
請求項１〜３のいずれか一項に記載の導電性メッシュと、
前記導電性メッシュを支持する透明基材と、を備える、導電性メッシュシート。
【請求項５】
請求項１〜３のいずれか一項に記載の導電性メッシュ、または、請求項４に記載の導電性メッシュシートを備える、タッチパネル装置。
【請求項６】
請求項１〜３のいずれか一項に記載の導電性メッシュ、または、請求項４に記載の導電性メッシュシートを備える、画像表示装置。
【発明の詳細な説明】
【技術分野】
【０００１】
本発明は、多数の開口領域を画成する導電性メッシュに係り、とりわけ、モアレおよびぎらつきを目立たなくさせることができる導電性メッシュに関する。また、本発明は、この導電性メッシュを有する導電性メッシュシート、タッチパネル装置および画像表示装置にも関する。
【背景技術】
【０００２】
従来、可視光透光性を有する導電性メッシュが、例えば、特許文献１及び２に開示された電磁波遮蔽材（電磁波遮蔽シート）や、タッチパネルセンサとして、種々の分野において広く使用されてきた。ただし、このような導電性メッシュは、モアレ及びぎらつきといった不具合を引き起こすことが知られている。そして、このような不具合を解消するため、種々の研究が行われてきた。
【０００３】
導電性メッシュの形状としては、特許文献１に開示の如く、正方形、六角形等の多角形の単位格子を縦横に一定周期で配列してなる周期格子が従来から最も一般的に用いられてきた。しかし、斯かる周期格子は導電性メッシュの周期と画素の周期とが干渉してモアレ（縞状模様）を生じ、画像視認性に支障を生じることがある。
【０００４】
そこで、モアレ発生を解消すべく、特許文献２に開示の如く、不統一の各種形状の単位格子が非周期的に配列した配列周期の無いランダム格子が提案された。しかし、斯かるランダム格子は、モアレ発生は解消されるが、単位格子の粗密がぎらつきとなって視認され、今度はこれが画像視認性を低下させることが判明した。
【０００５】
更に、ランダム格子のぎらつきを解消すべく、特許文献３に開示の如く、周期格子の周期性を一部崩し、一部残した導電性メッシュも提案された。これはＸ軸方向及びＹ軸方向の２方向に繰り返し周期を持つ正方格子を基にして、その一方向（例えばＸ軸方向）の導電性メッシュは単位格子の配列を非周期化し、他方（例えばＹ軸方向）の配列周期は残したものである。しかしながら、現実に試作、評価してみると、モアレ解消効果もぎらつき防止効果も共に中途半端となることが判明した。
【先行技術文献】
【特許文献】
【０００６】
【特許文献１】特許第４０８４０５５号公報
【特許文献２】特開平１１−１２１９７４号公報
【特許文献３】ＷＯ２００７／１１４０７６号公報
【発明の概要】
【発明が解決しようとする課題】
【０００７】
モアレは、明暗の筋模様が視認されるようになる現象であり、導電性メッシュのパターンの規則性（周期性）と、導電性メッシュと重ねられる他の部材のパターンの規則性（例えば表示装置の画素配列の規則性）との干渉によって生じるとされている。このため、一般的には、導電性メッシュのパターンを不規則化することが、モアレの不可視化に有効であるとされてきた。
【０００８】
一方、ぎらつきは、導電性メッシュからの外光の反射量が面内で不均一となり、明るく観察される部分が局所的に存在するようになる現象である。ぎらつきの発生は、導電性メッシュのパターンの局所的な不均一性が原因であると考えられている。
【０００９】
すなわち、モアレの不可視化には、導電性メッシュのパターンの不規則化が有効であり、ぎらつきの不可視化には、導電性メッシュのパターンの規則化が有効である。このため、従来の技術では、モアレ及びぎらつきの全てに対処できる導電性メッシュは存在しなかった。本発明は、以上の点を考慮してなされたものであり、モアレ及びぎらつきの全てを目立たなくさせることができる導電性メッシュ、この導電性メッシュを有する導電性メッシュシート、タッチパネル装置および画像表示装置を提供することを目的とする。
【課題を解決するための手段】
【００１０】
本発明による導電性メッシュは、
多数の開口領域を画成する導電性メッシュであって、
二つの分岐点の間を延びて前記開口領域を画成する導電性の接続要素を多数含み、
前記分岐点は、辺の長さが互いに等しく且つ内角の大きさが互いに異なる二種類の菱形を敷き詰めて形成された参照パターンにおける前記菱形の角上に位置している。
【００１１】
本発明による導電性メッシュにおいて、前記接続要素は、前記参照パターンにおいて前記菱形の前記辺の両端をなす二つの角にそれぞれ対応する二つの分岐点の間を延びていてもよい。また、本発明による導電性メッシュにおいて、前記接続要素は、前記参照パターンにおいて前記菱形の前記辺の両端をなす二つの角にそれぞれ対応する二つの分岐点の間のみを延びていてもよい。或いは本発明による導電性メッシュにおいて、前記接続要素は、前記参照パターンにおいて前記菱形の前記辺の両端をなす二つの角にそれぞれ対応する二つの分岐点の間と、前記参照パターンにおいて前記菱形の対角線の両端をなす二つの角にそれぞれ対応する二つの分岐点の間と、を延びていてもよい。
【００１２】
本発明による導電性メッシュにおいて、前記参照パターンにおける一つの菱形に対応して、前記開口領域が一つ画成されるようにしてもよい。
【００１３】
本発明による導電性メッシュシートは、
上述した本発明による導電性メッシュのいずれかと、
前記導電性メッシュを支持する透明基材と、を備える。
【００１４】
本発明によるタッチパネル装置は、上述した本発明による導電性メッシュおよび導電性メッシュシートのいずれかを備える。
【００１５】
本発明による画像表示装置は、上述した本発明による導電性メッシュおよび導電性メッシュシートのいずれかを備える。
【発明の効果】
【００１６】
本発明によれば、導電性メッシュに起因したモアレ及びぎらつきを効果的に目立たなくさせることができる。
【図面の簡単な説明】
【００１７】
【図１】図１は、本発明の一実施の形態を説明するための図であって、導電性メッシュを示す平面図である。
【図２】図２は、図１の部分拡大平面図である。
【図３】図３は、導電性メッシュの変形例を説明するための平面図である。
【図４】図４は、導電性メッシュを有する導電性メッシュシートの法線方向に沿った断面図である。
【図５】図５は、導電性メッシュシートからなる電磁波遮蔽シートを含む表示装置を示す図である。
【図６】図６は、導電性メッシュシートからなるタッチパネルセンサを含むタッチパネル装置を示す模式図である。
【発明を実施するための形態】
【００１８】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１９】
なお、本明細書において、「板」、「シート」、「フィルム」の用語は、呼称の違いのみに基づいて、互いから区別されるものではない。例えば、「シート」は板やフィルムと呼ばれ得るような部材も含む概念であり、したがって、「導電性メッシュシート」は、「導電性メッシュ板」や「導電性メッシュフィルム」と呼ばれる部材と呼称の違いのみにおいて区別され得ない。
【００２０】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２１】
＜＜導電性メッシュ及び導電性メッシュシート＞＞
導電性メッシュ１０は、多数の開口領域１５を画成するメッシュ状の材料である。図１及び図２に示すように、導電性メッシュ１０は、二つの分岐点２５の間を延びて開口領域１５を画成する導電性の接続要素２０を多数含んでいる。とりわけ図示された例では、導電性メッシュ１０は、両端において分岐点２５を形成する多数の接続要素２０の集まりとして構成されている。すなわち、導電性メッシュ１０は、二つの分岐点２５の間を延びる多数の接続要素２０の集まりとして構成されている。そして、分岐点２５において、接続要素２０が接続されていくことにより、開口領域１５が画成されている。言い換えると、接続要素２０で囲繞、区劃されて１つの開口領域１５が画成されている。
【００２２】
導電性メッシュ１０は導電性を有しており、導電性に関連した何らかの機能を発揮するとともに、開口領域１５によって可視光透過性を有している。このような導電性メッシュ１０の一例として、接地されて電磁波を遮蔽する電磁波遮蔽材、タッチパネル装置に組み込まれるタッチパネルセンサ用の電極、可視光透過性を有したアンテナ、太陽電池の集電電極、結露防止用の発熱電極を挙げることができる。図４に示すように、導電性メッシュ１０は、多くの場合、透明基材３５上に形成されて、透明基材３５とともに導電性メッシュシート３０を形成する。
【００２３】
導電性メッシュシート３０の具体的な用途にもよるが、透明基材３５は、適度な強度および適度な透明性を有するように、適宜構成される。一例として、透明基材３５の厚さを２０μｍ〜１５０μｍとすることができ、また、透明基材３５の光透過率が８０％以上となるようにしてもよい。このような透明基材３５として、例えば、二軸延伸ポリエチレンテレフタレート（ＰＥＴ）、ポリエチレンナフタレート（ＰＥＮ）、ポリプロピレン（ＰＰ）、環状ポリオレフィン、アクリル樹脂、ポリカーボネート樹脂等の樹脂フィルムを用いることができる。二軸延伸ポリエチレンテレフタレートフィルムは、適度な透明性と、紫外線照射処理や加熱処理等に対する耐久性と、を有している点で、透明基材３５としての適用に好適である。他の一例として、透明基材３５の厚さは５００μｍ〜１００００μｍ（１ｃｍ）とすることができる。このような透明材料として、例えば、ソーダ硝子、カリ硝子等の硝子、ＰＬＺＴ等の透明セラミックス、石英の板を用いることが出来る。
【００２４】
可視光透過性を有した導電性メッシュ１０は、その接続要素２０が視認されにくくなっていることが好ましい。その一方で、導電性メッシュ１０に期待されるその導電性に起因した機能を十分に発揮し得るよう、導電性メッシュ１０の面抵抗は十分に低くなっていることが好ましい。上述した用途として用いられる場合において、導電性メッシュ１０が期待された機能を効果的に発現し且つ導電性メッシュ１０が十分な透明性を有するようにする観点から、導電性メッシュ１０を次のように設計することができる。まず、接続要素２０の線幅は、５０μｍ以下、好ましくは３０μｍ以下、より好ましくは１５μｍ以下、さらに好ましくは１０μｍ以下とすることができる。線幅の下限は、例えば、断線を回避する為に１μｍ以上、好ましくは３μｍ以上とすることができる。また、不透明な材料を用いて形成された導電性メッシュ１０のよって画成される一つの開口領域１５の大きさを、５０〜２０００μｍとすることができる。ここで一つの開口領域１５の大きさとは、平面視における当該開口領域１５の最大幅および最小幅の平均である。
【００２５】
なお、接続要素２０の線幅や開口領域１５の大きさ等の導電性メッシュ１０の各寸法は、導電性メッシュ１０の全領域を調べてその平均値を算出して特定する必要はなく、実際的には、接続要素２０によって画成された一つあたりの開口領域１５の大きさ等を考慮した上で、算出すべき対象（接続要素２０の線幅や開口領域１５の大きさ等）の全体的な傾向を反映し得ると期待される面積を持つ一区画内において、算出すべき対象のばらつきの程度を考慮して適当と考えられる数を調べてその平均値を算出することによって特定すればよい。例えば、直前で説明した設計値を目標として次の段落で説明する製造方法により製造される導電性メッシュ１０においては、３０ｍｍ×３０ｍｍの領域内に含まれる３０箇所を電子顕微鏡により測定して平均を算出することにより、接続要素２０の線幅や開口領域１５の大きさ等を特定することができる。
【００２６】
以上のような導電性メッシュ１０は、例えば、蒸着法、スパッタリング法、箔の転写、塗工法等により、銅、アルミニウム、銀、又は、これらの合金を含有する金属膜を透明基材３５上に形成し、この金属膜を所望のパターンでエッチングする方法、あるいは、導電性インキ（例えば、アクリル樹脂、ポリエステル樹脂等の樹脂バインダー中に銀、銅、ニッケル等の導電性金属粒子を分散させた導電性インキ）を透明基材３５上に所望のパターンで印刷する方法等の従来既知の方法によって、透明基材３５上に形成することができる。
【００２７】
次に、図１〜図３を主に参照して、導電性メッシュ１０のパターンについて詳述する。ここで図１〜図３は、導電性メッシュ１０を示す平面図である。上述したように、多数の開口領域１５を画成する導電性メッシュ１０は、二つの分岐点２５の間を延びて開口領域１５を画成する導電性の接続要素２０を多数含んでいる。
【００２８】
図１〜図３に示すように、分岐点２５は、辺の長さが互いに等しく且つ内角の大きさが互いに異なる二種類の菱形１５Ａ，１５Ｂを敷き詰めて形成された参照パターン１１における菱形の角上に配置されている。図示された例では、接続要素２０は、参照パターン１１において菱形１５Ａ，１５Ｂの辺の両端をなす二つの角にそれぞれ対応する二つの分岐点２５の間を延びている。とりわけ、各接続要素２０は、菱形１５Ａ，１５Ｂのいずれかの辺に対応して設けられている。また、参照パターン１１をなす菱形１５Ａ，１５Ｂのすべての辺に対応して、接続要素２０が設けられている。
【００２９】
図１〜図３に示すように、参照パターン１１は、第１菱形１５Ａ及び第２菱形１５Ｂを仮想平面上に充填して形成されている。第１菱形１５Ａの一辺の長さは、第２菱形１５Ｂの一辺の長さと同一となっている。そして、参照パターン１１において、隣り合って配列された二つの菱形は、一つの辺を互いに重なり合わせている、言い換えると、隣り合って配列された二つの菱形の一つの辺は共通している。ただし、第１菱形１５Ａの内角は、第２菱形１５Ｂの内角とは異なる大きさとなっている。したがって、第１菱形１５Ａは、第２菱形１５Ｂとは異なる面積を有している。
【００３０】
なお、図示された参照パターン１１は、いわゆるペンローズ・タイルと呼ばれる配列により、二種類の菱形１５Ａ，１５Ｂが平面充填されている。第１菱形１５Ａの内角は、７２°と１０８°となっており、第２菱形１５Ｂの内角は、３６°と１４４°とになっている。この参照パターン１１では、二種類の菱形１５Ａ，１５Ｂが、非周期的に、すなわち規則性を持たずに配列されている。
【００３１】
そして、この参照パターン１１を元にして作製された導電性メッシュ１０によれば、周期的に配列された要素を含む部材と重ねた場合、例えば、電磁波遮蔽材やタッチパネル用のセンサとして機能する導電性メッシュ１０を、規則的な画素配列を有する表示パネル（画像形成装置）と重ねた場合に、モアレを目立たなくさせることができる。あわせて、この参照パターン１１を元にして作製された導電性メッシュ１０によれば、ぎらつきも目立たなくさせることができる。
【００３２】
この点について、本件発明者らは、一辺が３００μｍとなる上述の第１菱形１５Ａ及び第２菱形１５Ｂを平面充填してなる参照パターン１１に基づき、線幅が５μｍとなるように導電性メッシュ１０を上述した製造方法にて製造した。そして、作製した導電性メッシュ１０を、画素ピッチが８４μｍ（サブ画素ピッチが２８μｍ）となっているプラズマディスプレイパネル上に配置し、モアレ及びぎらつきの有無を確認したところ、注意深く観察してもモアレ及びぎらつきのいずれも発見することができなかった。なお、モアレ及びぎらつきの確認は、プラズマディスプレイパネルは全面白表示している状態にて、すなわち、対象とする不具合がより視認されやすい条件にて、行った。
【００３３】
導電性メッシュ１０によって、モアレ及びぎらつきの両方を極めて効果的に防止し得る理由の詳細は不明であるが、次のことがその一要因であると推測される。すなわち、導電性メッシュ１０のパターンが、上述した参照パターン１１に基づいて決定されているので、導電性メッシュ１０によって画成される開口領域１５の配列、加えて、導電性メッシュ１０をなす接続要素２０の配列が、非周期的となって規則性を持たなくなる。このため、導電性メッシュ１０に起因したモアレの発生を極めて効果的に防止し得るものと考えられる。その一方で、上述した参照パターン１１は、たった二種類の菱形１５Ａ，１５Ｂを平面充填して形成されていることから、導電性メッシュ１０の接続要素２０の配置に強い影響を及ぼす分岐点２５が均一に分散するようになる。また、一つの接続要素２０を画成する二つの分岐点２５を結ぶ方向も偏り無くばらつくようになる。この結果、導電性メッシュ１０に起因したぎらつきの発生を極めて効果的に防止し得るものと考えられる。
【００３４】
なお、厳密なペンローズ・タイルの配列は、５回対称となる。その一方で、厳密なペンローズ・タイルにおいて、図２に示された十の辺で取り囲まれる十の菱形を含む一つの領域を、当該一つの領域と同形状の領域であって当該一つの領域とは異なる態様で十の菱形が配列されている他の領域と交換することにより、菱形の非周期平面充填性を維持しながら５回対称性を有しない参照パターン１１を形成することができる。そして、本発明者が、上述した実験と同様にして、厳密なペンローズ・タイル配列ではないこの参照パターン１１に基づいて導電性メッシュ１０を実際に作製してプラズマディスプレイパネルとの組み合わせにおいて、モアレ及びぎらつきの有無を確認したところ、厳密なペンローズ・タイル配列の参照パターン１１に基づいた導電性メッシュ１０と同様の作用効果が奏されることを確認した。
【００３５】
ところで、上述したように、接続要素２０は、参照パターン１１において菱形１５Ａ，１５Ｂの辺の両端をなす二つの角にそれぞれ対応する二つの分岐点２５の間を延びている。そして、図１及び図２に示す例においては、接続要素２０は、参照パターン１１において菱形１５Ａ，１５Ｂの辺の両端をなす二つの角にそれぞれ対応する二つの分岐点２５の間を直線状に延びている。すなわち、接続要素２０は、参照パターン１１に形成する菱形１５Ａ，１５Ｂの辺と同一のパターンで配置されている。
【００３６】
ただし、図３に示すように、各接続要素２０は、その両端に位置する分岐点２５の間を直線状に延びる必要はない。図３に示された導電性メッシュ１０では、接続要素２０は、参照パターン１１において菱形１５Ａ，１５Ｂの辺の両端をなす二つの角にそれぞれ対応する二つの分岐点２５の間を、当該二つの角を結ぶ辺とは異なる経路で延びている。すなわち、導電性メッシュ１０に含まれる少なくとも一つの接続要素２０は、当該接続要素２０の両端に位置する二つの分岐点２５の間を、曲線状または折れ線状に延びていてもよい。接続要素２０を非直線状に形成することにより、導電性メッシュ１０をなす接続要素２０の規則性または周期性がさらに弱められる。これにより、導電性メッシュ１０が他の周期性を有した要素を含む部材と重ねられた際に発生し得るモアレをより効果的に目立たなくさせることが可能となる。
【００３７】
なお、接続要素２０を非直線状に形成する際には、当該接続要素２０が、他の接続要素２０と接触または交差しない方が好ましい。すなわち、参照パターン１１を画成する一つの菱形１５Ａ，１５Ｂに対応して、開口領域１５が一つだけ形成されることが好ましい。この場合、接続要素２０がより偏り無く配置されるようになり、これにより、ぎらつきが視認されることを効果的に防止することができる。加えて、接続要素２０を非直線状に形成する際に、当該接続要素２０が、当該接続要素２０の両端に位置する二つの分岐点２５の間を直線状に延びる参照パターン１１と、すなわち、参照パターン１１を画成するようになる菱形の辺と交差していること好ましい。この場合、接続要素２０の分布が、参照パターン１１を画成する二種類の菱形１５Ａ，１５Ｂの辺の分布から大きくずれることを抑制することができる。これにより、モアレを効果的に不可視化することができるとともに、ぎらつきをより効果的に目立たなくさせることができる。
【００３８】
さらに、上述した実施の形態においては、参照パターン１１を画成する菱形１５Ａ，１５Ｂのすべての辺に対して一つの接続要素２０が設けられている例を示したが、これに限られず、参照パターン１１を画成する菱形１５Ａ，１５Ｂの一部の辺のみに対して一つの接続要素２０が設けられていてもよい。また、上述した実施の形態においては、接続要素２０が、参照パターン１１を画成する菱形１５Ａ，１５Ｂの辺の両端をなす二つの角にそれぞれ対応する二つの分岐点２５の間のみを延びている例を示したが、これに限られない。参照パターン１１を画成する菱形１５Ａ，１５Ｂの辺の両端をなす二つの角にそれぞれ対応する二つの分岐点２５の間に加えて又は代えて、接続要素２０が、参照パターン１１において菱形１５Ａ，１５Ｂの対角線の両端をなす二つの角にそれぞれ対応する二つの分岐点２５の間を延びるようにしてもよい。例えば、ぎらつきの発生を効果的に回避する観点から、接続要素２１が、図２及び図３に二点鎖線で示すように、内角の大きさが所定の角度以上となっている菱形１５Ａ，１５Ｂの角から延び出る対角線の両端をなす二つの角にそれぞれ対応する二つの分岐点２５の間を延びるようにしてもよい。一具体例として図２及び図３に二点鎖線で示すように、接続要素２１が、各菱形１５Ａ，１５Ｂにおける短い方の対角線の両端をなす二つの角にそれぞれ対応する二つの分岐点２５の間、言い換えると、図２及び図３における各菱形１５Ａ，１５Ｂにおける内角が９０°より大きい角から延び出る対角線の両端をなす二つの鈍角にそれぞれ対応する二つの分岐点２５の間を延びるようにしてもよい。
【００３９】
また、上述してきた例では、すべての分岐点２５が、参照パターン１１におけるいずれかの菱形１５Ａ，１５Ｂの角上に位置している例を示したが、ごく一部分の分岐点２５が菱形１５Ａ，１５Ｂの角からわずかにずれた位置に配置されていたとしても、上述したモアレ及びぎらつきの両方を防止する作用効果を期待することができる。
【００４０】
＜＜導電性メッシュ及び導電性メッシュシートの用途＞＞
次に、以上のような構成及び特性を有した導電性メッシュ１０及び導電性メッシュシート３０の用途の一例について説明する。なお、上述したように、導電性メッシュ１０は、一例として、接地されて電磁波を遮蔽する電磁波遮蔽材、タッチパネル装置のタッチパネルセンサ用の電極、可視光透過性を有したアンテナ、太陽電池の集電電極、結露防止用の発熱電極として、用いられ得る。
【００４１】
＜電磁波遮蔽材＞
図５に示すように、導電性メッシュ１０は、テレビジョン受像装置、各種測定機器や計器類、各種事務用機器、各種医療機器、電算機器、電話機、電飾看板、各種遊戯機器等の表示部に用いられるプラズマディスプレイ（ＰＤＰ）装置、ブラウン管ディスプレイ（ＣＲＴ）装置、液晶ディスプレイ装置（ＬＣＤ）、電場発光ディスプレイ（ＥＬ）装置などの画像表示装置に、電磁波遮蔽材として、組み込まれ得る。
【００４２】
図５に示された例において、画像表示装置４０は、画像を形成し得る画像形成装置（表示部）４１と、画像形成装置４１の出光側に配置された積層体４５と、を有している。したがって、積層体４５の出光面が、画像表示装置４０の表示面（出光面）４０ａをなし、観察者は、画像形成装置４１で形成された画像を、積層体４５を介して観察することになる。この積層体４５に、電磁波遮蔽シートとしての導電性メッシュシート３０が、組み込まれている。導電性メッシュシート３０の導電性メッシュ１０は、画像形成装置４１の画像が形成される領域に延び広がっている。この導電性メッシュ１０は、電磁波を効果的に遮蔽しながら、上述したように、モアレ及びぎらつきの発生を効果的に防止することができる。なお、積層体４５には、反射防止シートやルーバー等の機能性シートが適宜組み込まれるが、導電性メッシュ１０と他の機能性シートとの間でのモアレの発生も効果的に防止されるようになる。
【００４３】
また、その他、住宅、学校、病院、事務所、店舗等の建築物の窓、車両、航空機、船舶等の乗物の窓、電子レンジの窓等の各種家電製品の窓等の電磁波遮蔽用途にも使用可能である。この例では、電磁波遮蔽材としての導電性メッシュ１０を支持するようになる窓が、導電性メッシュシート３０における透明基材３５をなすようにしてもよい。この場合、窓に重ねて配置された網戸やカーテンの模様等と、導電性メッシュ１０との間でのモアレの発生を効果的に防止することができるとともに、ぎらつきによる不快感を受けることも効果的に防止される。
【００４４】
＜タッチパンセルセンサ＞
図６には、タッチパネルセンサ５１，５２を含んだタッチパネル装置５０が開示されている。図示されたタッチパネル装置５０は、投影型容量結合方式のタッチパネル装置として構成されており、それぞれ、透明基材３５上に電極５５が形成された第１タッチパネルセンサ５１及び第２タッチパネルセンサ５２を有している。を有している。このタッチパネル装置５０は、画像形成装置上に配置されるようになり、第１及び第２タッチパネルセンサ５１，５２は、画像形成装置の画素が配列された領域に対面するアクティブエリアＡａ１と、アクティブエリアＡａ１の周囲となる非アクティブエリアＡａ２と、を含んでいる。電極５５は、アクティブエリアＡａ１内に位置して位置検出に用いられる検出電極６０と、検出電極６０に接続され非アクティブエリアＡａ２内に位置する取出電極７０と、を有している。
【００４５】
そして、図５に示すように、各検出電極６０は、その長手方向に間隔を明けて配列された多数の導電性メッシュ１０と、隣り合う二つの導電性メッシュ１０の間を接続する接続導線６１と、を有している。各検出電極６０は、導電性メッシュ１０および接続導線６１により、アクティブエリアＡａ１内を直線状に延びている。各検出電極６０が配置されている領域の幅は、導電性メッシュ１０が設けられている部分において太くなっている。一方のタッチパネルセンサ５１，５２に含まれる各検出電極６０は、他方のタッチパネルセンサ５２，５１に含まれる多数の検出電極６０と交差している。そして、図５に示すように、一方のタッチパネルセンサ５１，５２の導電性メッシュ１０は、検出電極６０上において、他方のタッチパネルセンサ５２，５１の隣り合う二つの検出電極６０との交差点の間に配置されている。
【００４６】
このタッチパネル装置５０では、タッチパネルセンサ５１，５２の導電性メッシュ１０が、画像形成装置４１の画素が配列されている領域上に配置される。この導電性メッシュ１０は、その優れた導電性により検出電極６０として機能するとともに、上述したように、モアレ及びぎらつきの発生を防止することができる。
【００４７】
なお、図６に示された電極５５の形状は一例に過ぎず、種々の変更が可能である。また、導電性メッシュ１０および導電性メッシュシート３０は、投影型容量結合形式のタッチパネル装置に限られず、種々の形式のタッチパネル装置に適用することができる。
【００４８】
＜その他＞
その他の用途として、導電性メッシュ１０は、窓に支持されたアンテナとして機能する。また、導電性メッシュ１０は、窓に支持された結露防止用の発熱電極として機能する。これらの例では、窓が、導電性メッシュシート３０の透明基材３５をなす。そしれこれらの例では、窓に重ねて配置された網戸やカーテンの模様等と、導電性メッシュ１０との間でのモアレの発生を効果的に防止することができるとともに、ぎらつきによる不快感を受けることも効果的に防止される。
【符号の説明】
【００４９】
１０   導電性メッシュ
１１   参照パターン
１５   開口領域
１５Ａ 第１菱形
１５Ｂ 第２菱形
２０   接続要素
２５   分岐点
３０   導電性メッシュシート
３５   透明基材
４０   画像表示装置
４０ａ 表示面
４１   表示部
４５   積層体
５０   タッチパネル装置
５１   第１タッチパネルセンサ
５２   第２タッチパネルセンサ
５５   電極
６０   検出電極
６１   接続導線
７０   取出電極
【図１】
2014203664.tif 000003
【図２】
2014203664.tif 000004
【図３】
2014203664.tif 000005
【図４】
2014203664.tif 000006
【図５】
2014203664.tif 000007
【図６】
2014203664.tif 000008